(57)【要約】【課題】ＬＴＥシステムのような下り無線アクセスにＯＦＤＭ方式を採用する移動通信システムにおいて、端末装置におけるＦＦＴの演算量を削減して、端末装置の消費電力の軽減を可能にする。【解決手段】スケジューリング部１０は、端末装置における呼び出しチャネルに対するＦＦＴ演算量が少なくなるように、呼び出しチャネルのデータを並べ替える。報知情報送信部１１は、スケジューリング部１０からの並べ替え情報を、報知情報として端末装置に送信する。Ｓ／Ｐ変換部１２は、スケジューリング部１０からの下り送信チャネルのデータをパラレル信号に変換する。周波数変換部１３は、パラレル信号の下り送信チャネルのデータをＩＦＦＴ処理して互いに直交する複数のサブキャリアを生成する。信号送信部２０は、複数のサブキャリアに基づいて送信信号を生成し、その送信信号を送信する。【選択図】図１
2008236154.tif 000002
【特許請求の範囲】
【請求項１】
下り無線アクセス方式としてＯＦＤＭ方式を使用する移動通信システムにおける基地局装置であって、
入力された呼び出しチャネルの複数のデータを、端末装置におけるＦＦＴ演算量が少なくなるように並び替えるスケジューリング部と、
前記並び替えに関する並び替え情報を、報知情報として送信する報知情報送信部と、
前記並び替えられた呼び出しチャネルのデータを、パラレル信号に変換するシリアル／パラレル変換部と、
前記パラレル信号の呼び出しチャネルの各データを、互いに直交する周波数の複数のサブキャリアに変換する周波数変換部と、
前記複数のサブキャリアに基づいて送信信号を生成し、当該送信信号を送信する信号送信部と、を含む基地局装置。
【請求項２】
請求項１に記載の基地局装置において、
前記スケジューリング部は、前記呼び出しチャネルの複数のデータを復元するために前記端末装置内で使用されるＦＦＴバタフライ演算部の数が少なくなるように、当該複数のデータを並び替える、基地局装置。
【請求項３】
請求項１または２に記載の基地局装置において、
前記呼び出しチャネルは、ＬＴＥシステムにおける呼び出しチャネルである、基地局装置。
【請求項４】
請求項３に記載の基地局装置において、
前記スケジューリング部は、前記呼び出しチャネルのデータの数が少なくなるほど、互いに異なる複数の周波数帯域幅から狭い周波数帯域幅を選択し、
前記周波数変換部は、前記パラレル信号の呼び出しチャネルの各データを、前記選択された周波数帯域幅に属する前記複数のサブキャリアに変換する、基地局装置。
【請求項５】
下り無線アクセス方式としてＯＦＤＭ方式を使用する移動通信システムにおける基地局装置が行うＯＦＤＭスケジューリング方法であって、
入力された呼び出しチャネルの複数のデータを、端末装置におけるＦＦＴ演算量が少なくなるように並び替える並び替えステップと、
前記並び替えに関する並び替え情報を、報知情報として送信する報知情報送信ステップと、
前記並び替えられた呼び出しチャネルのデータを、パラレル信号に変換する変換ステップと、
前記パラレル信号の呼び出しチャネルのデータを、互いに直交する周波数の複数のサブキャリアに変換する周波数変換ステップと、
前記複数のサブキャリアに基づいて送信信号を生成し、当該送信信号を送信する信号送信ステップと、を含むＯＦＤＭスケジューリング方法。
【請求項６】
請求項５に記載のＯＦＤＭスケジューリング方法において、
前記並び替えステップでは、前記呼び出しチャネルの複数のデータを復元するために前記端末装置内で使用されるＦＦＴバタフライ演算部の数が少なくなるように、当該複数のデータを並び替える、ＯＦＤＭスケジューリング方法。
【請求項７】
請求項５または６に記載のＯＦＤＭスケジューリング方法において、
前記呼び出しチャネルは、ＬＴＥシステムにおける呼び出しチャネルである、ＯＦＤＭスケジューリング方法。
【請求項８】
請求項７に記載のＯＦＤＭスケジューリング方法において、
前記呼び出しチャネルのデータの数が少なくなるほど、互いに異なる複数の周波数帯域幅から狭い周波数帯域幅を選択する選択ステップをさらに含み、
前記周波数変換ステップでは、前記パラレル信号の呼び出しチャネルの各データを、前記選択された周波数帯域幅に属する前記複数のサブキャリアに変換する、ＯＦＤＭスケジューリング方法。
【発明の詳細な説明】
【技術分野】
【０００１】
本発明は、下り無線アクセス方式としてＯＦＤＭ（Orthogonal Frequency Division Multiplexing：直交周波数分割多重）方式を使用する移動通信システムに関し、特には、呼び出しチャネルの個々のデータをどの周波数に割り当てるかを決定するためのスケジューリングを行うためのＯＦＤＭスケジューリング方法に関する。
【背景技術】
【０００２】
近年、無線アクセス方式として、高速伝送が可能でフェージングやマルチパスにも強いＯＦＤＭ方式が注目されている（特許文献１、２参照）。ＯＦＤＭ方式は、周波数の直交性を利用して、直交する複数の搬送波（サブキャリア）の信号を多重化するデジタル変復調方式である。
【０００３】
ＯＦＤＭ方式を用いた通信システムでは、送信側は、入力シンボル列をパラレル信号に変換した後に、各シンボル列に対してＩＦＦＴ（逆高速フーリエ変換）を施し、ＩＦＦＴを施された信号をシリアル信号に変換して送信する。受信側は、受信したシンボル列をパラレル信号に変換した後にＦＦＴ（高速フーリエ変換）を行い、ＦＦＴを行った信号をシリアル信号に変換することにより、元のシンボル列を復元する。
【０００４】
ＯＦＤＭ方式を採用した移動通信システムとして、ＬＴＥ（Long Term Evolution：スーパー３Ｇ）システムが知られている。
【０００５】
ＬＴＥシステムでは、基地局装置から端末装置への下り無線アクセス方式として、ＯＦＤＭ方式を採用する。ＬＴＥシステムにおける端末装置は、従来の３Ｇシステムと同様に待ち受け中に呼び出しチャネルのモニタを周期的に行う。また、この端末装置は、消費電力削減を目的として、呼び出しチャネルのモニタを行っている以外の時間はスリープ動作に入る。
【０００６】
ＬＴＥシステムは、１．２５ＭＨｚ、２．５ＭＨｚ、５ＭＨｚ、１０ＭＨｚ、１５ＭＨｚ、２０ＭＨｚの周波数帯域幅を持ち、呼び出しチャネルは、５ＭＨｚの周波数帯域幅が割り当てられている。
【０００７】
ＬＴＥシステムでは、基地局装置から端末装置への下り回線の無線アクセス方法にＯＦＤＭ方式を採用するため、送信側の基地局装置はＩＦＦＴ演算を行い、受信側の端末装置はＦＦＴ演算を行う。ＦＦＴ演算は、送信側でサブキャリア多重された信号から各サブキャリアを分離するために使われる。
【０００８】
ＬＴＥシステムにおいて、受信側の端末装置で行われるＦＦＴ演算を、図５を参照して説明する。図５では、６４点４基底のＦＦＴ演算について示されている。
【０００９】
図５において、ＦＦＴバタフライ演算ブロックＢ（ｊ，ｉ）は、端末装置に設けられ、入力される４つのデータに対して複素数の積和演算を行い４つのデータを出力する。以下、ＦＦＴバタフライ演算ブロック（ｊ，ｉ）を、バタフライ演算Ｂ（ｊ，ｉ）とも称する。ここで、バタフライ演算Ｂ（ｉ，ｊ）の要素であるｉとｊは、ｉ段目（ｉ＝０、１、２）のｊ番目（ｊ＝０、１、２、・・・、１５）を示す。
【００１０】
ｘ（０）、ｘ（１）、・・・、ｘ（６３）は、端末装置にて時系列でサンプリングされる受信信号であり、基地局装置にてＯＦＤＭ変調（複数の直交するサブキャリアに配置された呼び出しチャネルの各データを多重したもの）された信号である。Ｘ（０）、Ｘ（１６）、Ｘ（３２）、・・・、Ｘ（６３）は、呼び出しチャネルの各データに分離された信号である。
【００１１】
このように、呼び出しチャネルの各データが送られる場所（図５におけるＸ（０）、Ｘ（１６）、・・・、Ｘ（６３）に相当）をどのように設定するかはスケジューリングと呼ばれ、基地局装置では、このＯＦＤＭスケジューリングを行うことにより、呼び出しチャネルの各データをどの周波数（サブキャリア）に割り当てるかを決定する。
【００１２】
図５の例において、基地局装置が、あるチャネル（具体的には、呼び出しチャネル）のデータを、Ｘ（０）、Ｘ（１）、・・・、Ｘ（７）に割り当てたとする。この場合、端末装置は、そのチャネル（呼び出しチャネル）のデータを取得するためには、バタフライ演算Ｂ（０，０）〜Ｂ（１５，０）、Ｂ(０，１)〜Ｂ（１５，１）、Ｂ（０，２）、Ｂ（１，２）、Ｂ（４，２）、Ｂ（５，２）、Ｂ（８，２）、Ｂ（９，２）、Ｂ（１２，２）、Ｂ（１３，２）を使用して、それらバタフライ演算Ｂに対応する演算を行うことが必要となる。
【特許文献１】特開２００２−２６８５９号公報
【特許文献２】特開２００３−６０６１４号公報
【発明の開示】
【発明が解決しようとする課題】
【００１３】
ＬＴＥシステムの基地局装置は、端末装置でのＦＦＴ処理の最適化を考慮して、ＯＦＤＭスケジューリングを行っているわけではないため、端末装置は、入力された全てのデータに対してＦＦＴ演算を行う必要があった。
【００１４】
その結果、端末装置は、呼び出しチャネルのモニタしか行わない待ち受け中においても、呼び出しチャネル以外の本来不要なデータに対しても必ずＦＦＴ演算を行う。このため、待ち受け中の消費電力の低減といった観点で課題があった。
【００１５】
本発明の目的は、ＬＴＥシステムのような下り無線アクセスにＯＦＤＭ方式を採用する移動通信システムにおいて、端末装置におけるＦＦＴの演算量を削減して、端末装置の消費電力の軽減を可能にするＯＦＤＭスケジューリング方法および基地局装置を提供することである。
【課題を解決するための手段】
【００１６】
上記問題を解決するために、本発明の基地局装置は、下り無線アクセス方式としてＯＦＤＭ方式を使用する移動通信システムにおける基地局装置であって、入力された呼び出しチャネルの複数のデータを、端末装置におけるＦＦＴ演算量が少なくなるように並び替えるスケジューリング部と、前記並び替えに関する並び替え情報を、報知情報として送信する報知情報送信部と、前記並び替えられた呼び出しチャネルのデータを、パラレル信号に変換するシリアル／パラレル変換部と、前記パラレル信号の呼び出しチャネルの各データを、互いに直交する周波数の複数のサブキャリアに変換する周波数変換部と、前記複数のサブキャリアに基づいて送信信号を生成し、当該送信信号を送信する信号送信部と、を含む。
【００１７】
また、本発明のＯＦＤＭスケジューリング方法は、下り無線アクセス方式としてＯＦＤＭ方式を使用する移動通信システムにおける基地局装置が行うＯＦＤＭスケジューリング方法であって、入力された呼び出しチャネルの複数のデータを、端末装置におけるＦＦＴ演算量が少なくなるように並び替える並び替えステップと、前記並び替えに関する並び替え情報を、報知情報として送信する報知情報送信ステップと、前記並び替えられた呼び出しチャネルのデータを、パラレル信号に変換する変換ステップと、前記パラレル信号の呼び出しチャネルのデータを、互いに直交する周波数の複数のサブキャリアに変換する周波数変換ステップと、前記複数のサブキャリアに基づいて送信信号を生成し、当該送信信号を送信する信号送信ステップと、を含む。
【００１８】
上記発明によれば、呼び出しチャネルの複数のデータは、端末装置におけるＦＦＴ演算量が少なくなるように並び替えられる。このため、端末装置では、呼び出しチャネルの複数のデータを得るために必要なＦＦＴ演算量を少なくすることが可能となり、待ち受け中の消費電力の軽減を図ることが可能になる。
【００１９】
なお、前記スケジューリング部は、前記呼び出しチャネルの複数のデータを復元するために前記端末装置内で使用されるＦＦＴバタフライ演算部の数が少なくなるように、当該複数のデータを並び替えることが望ましい。
【００２０】
上記発明によれば、端末装置において、ＦＦＴバタフライ演算部の使用数を少なくでき、ＦＦＴ演算量を少なくできる。このため、端末装置において待ち受け中の消費電力の軽減および端末装置の小型化を図ることが可能になる。
【００２１】
また、前記呼び出しチャネルは、ＬＴＥシステムにおける呼び出しチャネルであることが望ましい。
【００２２】
上記発明によれば、ＬＴＥシステムの端末装置において、待ち受け中の消費電力を軽減することが可能になる。
【００２３】
また、前記スケジューリング部は、前記呼び出しチャネルのデータの数が少なくなるほど、互いに異なる複数の周波数帯域幅から狭い周波数帯域幅を選択し、前記周波数変換部は、前記パラレル信号の呼び出しチャネルの各データを、前記選択された周波数帯域幅に対応する前記複数のサブキャリアに変換することが望ましい。
【００２４】
上記発明によれば、呼び出しチャネルのデータの数が少なくなるほど、狭い周波数帯域幅が選択され、サブキャリアの数も少なくなる。
【００２５】
このため、データの数が少なくなると、そのデータ数に応じてサブキャリア数を少なくでき、これに伴い、端末装置が行わなければならないＦＦＴ演算の量も少なくできる。その結果、待ち受け中の消費電力を軽減することが可能になる。
【発明の効果】
【００２６】
本発明によれば、端末装置におけるＦＦＴの演算量を削減して、端末装置の消費電力を軽減することが可能になる。
【発明を実施するための最良の形態】
【００２７】
以下、本発明の実施例を、図面を参照して説明する。
【００２８】
（第１の実施例）
図１は、本発明の第１の実施例の移動通信システムにおける基地局装置の構成を示すブロック図である。なお、本実施例では、移動通信システムとして、ＬＴＥシステムが用いられる。
【００２９】
図１において、基地局装置は、ＬＴＥシステムに対応し、スケジューリング部１０と、報知情報送信部１１と、シリアル／パラレル（Ｓ／Ｐ）変換部１２と、周波数変換部１３と、サブキャリア合成部１４と、ガードインターバル付加部１５と、シンボル整形部１６と、Ｄ／Ａ変換部１７と、直交変換部１８と、ＲＦ部１９と、を含む。周波数変換部１３は、周波数変換部１３−１〜１３−６４を含む。サブキャリア合成部１４と、ガードインターバル付加部１５と、シンボル整形部１６と、Ｄ／Ａ変換部１７と、直交変換部１８と、ＲＦ部１９とで、信号送信部２０を構成する。
【００３０】
スケジューリング部１０は、下り送信チャネル（呼び出しチャネル、報知チャネル、パイロットチャネル等・・・）のデータ（Ｘａ（０）・・・Ｘａ（ｐ）、Ｘｂ（０）・・・Ｘｂ（ｑ）、・・・、Ｘｘ（０）・・・Ｘｘ（ｘ））を入力とし、端末装置における呼び出しチャネルに対するＦＦＴ演算量が少なくなるように、入力したデータを並べ替える。
【００３１】
例えば、スケジューリング部１０は、呼び出しチャネルの複数のデータを復元するために端末装置内で使用されるＦＦＴバタフライ演算部の数（図５参照）が少なくなるように、呼び出しチャネルの複数のデータを並び替える。
【００３２】
スケジューリング部１０は、並び替えた下り送信チャネルのデータ（シリアルデータ）を、Ｓ／Ｐ変換部１２に提供し、また、データの並び替えに関する並べ替え情報（データの並び替え方を表す並べ替え情報）を、報知情報送信部１１に提供する。
【００３３】
報知情報送信部１１は、スケジューリング部１０からの並べ替え情報を、報知情報として端末装置に送信する。
【００３４】
Ｓ／Ｐ変換部１２は、スケジューリング部１０からの下り送信チャネルのデータ（シリアル信号）を入力とし、下り送信チャネルのデータに対して１対６４のシリアル−パラレル変換を行うことにより、下り送信チャネルのデータをパラレル信号に変換する。
【００３５】
周波数変換部１３は、パラレル信号の下り送信チャネルのデータを、互いに直交する周波数の複数のサブキャリアに変換する。
【００３６】
周波数変換部１３−１〜１３−６４は、Ｓ／Ｐ変換部１２からの下り送信チャネルのデータを入力とし、そのデータについて、ＩＦＦＴ処理を含む周波数変換（ここで周波数変換部１３−１〜１３−６４の各周波数（サブキャリア周波数）は互いに直交する性質を持つ異なる周波数）を行って、そのデータが配置されたサブキャリアを生成する。
【００３７】
サブキャリア合成部１４は、周波数変換部１３−１〜１３−６４からのサブキャリアを入力とし、全てのサブキャリアを合成する。
【００３８】
信号送信部２０は、複数のサブキャリアに基づいて送信信号を生成し、その送信信号を送信する。
【００３９】
以上、実施例の構成を述べたが、図１に示したガードインターバル付加部１５、シンボル整形部１６、Ｄ／Ａ変換部１７、直交変調部１８およびＲＦ部１９は、当業者にとってよく知られており、また本発明とは直接関係しないので、その詳細な構成は省略する。
【００４０】
次に、移動通信システムの動作を、図面を参照して詳細に説明する。
【００４１】
まず、図２に示したスケジューリングテーブルについて説明をする。スケジューリングテーブルは、スケジューリング部１０にて保持される。
【００４２】
図２において、１６個（第１群第１グループ、第１群第２グループ、・・・第４群第４グループ）の各ブロックは、端末装置内のＦＦＴバタフライ演算ブロック（以下、単に「バタフライ演算ブロック」とも称する。）に対応する。
【００４３】
１つのバタフライ演算ブロック（例えば、第１群第１グループ）は、４つのチャネルデータ（この例では、Ｘ（０）、Ｘ（１６）、Ｘ（３２）、Ｘ（４８））を同時に求めることができる。
【００４４】
このため、下り送信チャネルの任意のチャネルのデータ（例えば、呼び出しチャネルのデータ）を、できるだけ少ない数のバタフライ演算ブロックにまとめることにより、バタフライ演算数（量）を減らすことができる。
【００４５】
次に、図１に示したスケジューリング部１０の動作を図２に示すスケジューリングテーブルを使用して説明する。
【００４６】
図１において、呼び出しチャネルのデータがスケジューリング部１０に与えられると、スケジューリング部１０は、図２に示したスケジューリングテーブルにおいて各データが可能な限り同一バタフライ演算ブロックに収まるように、換言すると、各データが収められるバタフライ演算ブロックの数が少なくなるように、各データをバタフライ演算ブロックに対応するチャネルデータＸ（ｎ）に配置する。
【００４７】
例えば、呼び出しチャネルのデータＸａ（０）、Ｘａ（１）、Ｘａ（２）、Ｘａ（３）、Ｘａ（４）、Ｘａ（５）、Ｘａ（６）およびＸａ（７）がスケジューリング部１０に与えられると、スケジューリング部１０は、Ｘａ（０）→Ｘ（０）、Ｘａ（１）→Ｘ（１６）、Ｘａ（２）→Ｘ（３２）、Ｘａ（３）→Ｘ（４８）、Ｘａ（４）→Ｘ（４）、Ｘａ（５）→Ｘ（２０）、Ｘａ（６）→Ｘ（３６）、Ｘａ（７）→Ｘ（５２）となるように、各データを配置する。
【００４８】
同様にして、スケジューリング部１０は、報知チャネルのデータも、Ｘｂ（０）→Ｘ（８）、Ｘｂ（１）→Ｘ（２４）、Ｘｂ（２）→Ｘ（４０）、Ｘｂ（３）→Ｘ（５６）と配置する。
【００４９】
各チャネルのデータの配置が終わると、各チャネルのデータは、下り送信チャネルのデータとして、Ｘ（０）、Ｘ（１）、・・・、Ｘ（６３）の順で、スケジューリング部１０からＳ／Ｐ変換部１２にシリアルに出力される。
【００５０】
下り送信チャネルのデータがＳ／Ｐ変換部１２に入力されると、Ｓ／Ｐ変換部１２は、入力された順に各データをパラレル変換して出力する。ここでは、Ｘ（０）→周波数変換部１３−１、Ｘ（１）→周波数変換部１３−２、・・・、Ｘ（６３）→周波数変換部１３−６４へと出力される。
【００５１】
下り送信チャネルのデータ（Ｘ（０）、・・・、Ｘ（６３））が周波数変換部１３−１〜１３−６４に入力されると、周波数変換部１３−１〜１３−６４は、入力されたデータを予め決められた周波数ｆ１、ｆ２、・・・、ｆ６４（ここで、ｆ１＜ｆ２＜・・・＜ｆ６４）への変換処理（ＩＦＦＴ処理を有する。）を行なって、入力されたデータが配置されたサブキャリアを生成する。
【００５２】
周波数変換部１３−１〜１３−６４からの出力がサブキャリア合成部１４に入力されると、サブキャリア合成部１４は、入力された全ての信号を合成して出力する。ここで出力される信号は、図３におけるｘ（０）、ｘ（１）、・・・、ｘ（６３）に相当する信号となる。
【００５３】
次に、図３を参照して、呼び出しチャネルを例にとり端末装置の動作について説明をする。
【００５４】
端末装置は、報知情報を取得することにより、呼び出しチャネルのデータがＸ（０）、Ｘ（１６）、Ｘ（３２）、Ｘ（４８）、Ｘ（４）、Ｘ（２０）、Ｘ（３６）、Ｘ（５２）で送られることを既に認識している。このため、図３において、端末装置は、Ｂ（０，０）〜Ｂ（１５，０）、Ｂ（０，１）〜Ｂ（３，１）、Ｂ（０，２）〜Ｂ（１，２）のバタフライ演算ブロックでのみＦＦＴ演算を行うことにより、呼び出しチャネルのデータを受信することができる。
【００５５】
以上説明したように、本実施例によれば、以下に記載するような効果を奏する。
【００５６】
第１の効果は、端末装置における呼び出しチャネルに対するＦＦＴ演算量が少なくなるように、基地局装置でスケジューリングしているので、端末装置における呼び出しチャネルに対するＦＦＴ演算量の減少に伴い、端末装置の待ち受け中消費電力を軽減できることである。
【００５７】
第２の効果は、呼び出しチャネルの複数のデータを復元するために端末装置内で使用されるＦＦＴバタフライ演算部の数が少なくなるように、基地局装置でスケジューリングしているので、端末装置が必要とするＦＦＴバタフライ演算部の数を少なくでき、端末装置を小型化できることである。
【００５８】
第３の効果は、移動通信システムとしてＬＴＥシステムが用いられた場合、呼び出しチャネルは、ＬＴＥシステムにおける呼び出しチャネルとなり、ＬＴＥシステムの端末装置において、待ち受け中の消費電力を軽減することが可能になることである。
【００５９】
（第２の実施例）
次に、本発明の第２の実施例の移動通信システムについて説明する。
【００６０】
本発明の第２の実施例は、その基本的構成は第１の実施例とほぼ同様である。
【００６１】
第２の実施例が第１の実施例と異なる点は、スケジューリング部１０と周波数変換部１３が、さらに機能を有する点である。
【００６２】
具体的には、第２の実施例のスケジューリング部１０は、呼び出しチャネルのデータの数が少なくなるほど、互いに異なる複数の周波数帯域幅から狭い周波数帯域幅を選択し、その選択結果を周波数変換部１３に通知する機能をさらに有する。
【００６３】
また、第２の実施例の周波数変換部１３は、パラレル信号の呼び出しチャネルの各データを、スケジューリング部１０から通知された周波数帯域幅に属する複数のサブキャリア（各データが配置された複数のサブキャリア）に変換する機能をさらに有する。
【００６４】
なお、報知情報送信部１１は、スケジューリング部１０の選択結果（選択された周波数帯域幅）を端末装置に送信することが望ましい。
【００６５】
次に、第２の実施例の動作を説明する。
【００６６】
例えば、スケジューリング部１０は、呼び出しチャネルのデータがＸａ（０）、Ｘａ（１）、Ｘａ（２）およびＸａ（３）（第１の実施例のデータ数の半分）になると、呼び出しチャネルの帯域幅を第１の実施例（５ＭＨｚ）の半分である２．５ＭＨｚを選択し、その選択結果を周波数変換部１３に通知する。
【００６７】
さらに、スケジューリング部１０は、Ｘａ（０）→Ｘ（０）、Ｘａ（１）→Ｘ（１６）、Ｘａ（２）→Ｘ（３２）、Ｘａ（３）→Ｘ（４８）、となるように、各データを配置する。
【００６８】
周波数変換部１３は、パラレル信号の呼び出しチャネルの各データについてＩＦＦＴ処理を含む周波数変換処理を行なって、パラレル信号の呼び出しチャネルの各データを、スケジューリング部１０から通知された２．５ＭＨｚ帯域幅に属する複数のサブキャリア（各データが配置された複数のサブキャリア）に変換する。
【００６９】
図４は、２．５ＭＨｚ帯域幅が選択された際の端末装置の動作を説明するための説明図である。
【００７０】
図４において、帯域幅が半分になったことから、信号の出力も半分である４本となる。この場合、Ｘ（４）、Ｘ（２０）、Ｘ（３６）およびＸ（５２）が不要となる。その結果、さらに、バタフライ演算Ｂ（１，２）が不要となる。
【００７１】
このように、本実施例では、呼び出しチャネルのデータ数に応じて呼び出しチャネルの帯域幅を減らすことにより、端末装置でのバタフライ演算の削減が可能となり、その結果、更なる消費電力削減ができるという効果が得られる。
【００７２】
以上説明した各実施例において、図示した構成は単なる一例であって、本発明はその構成に限定されるものではない。
【図面の簡単な説明】
【００７３】
【図１】本発明の第１の実施例の移動通信システムにおける基地局装置の構成を示すブロック図である。
【図２】スケジューリング部１０の動作を説明するためのスケジューリングテーブルを示す説明図である。
【図３】本発明の第１の実施例の移動通信システムにおける端末装置で行われるＦＦＴ演算を説明するための説明図である。
【図４】本発明の第２の実施例の移動通信システムにおける端末装置で行われるＦＦＴ演算を説明するための説明図である。
【図５】従来の移動通信システムにおける端末装置で行われるＦＦＴ演算を説明するための説明図である。
【符号の説明】
【００７４】
１０      スケジューリング部
１１      報知情報送信部
１２      Ｓ／Ｐ変換部
１３、１３−１〜１３−６４  周波数変換部
１４      サブキャリア合成部
１５      ガードインターバル付加部
１６      シンボル整形部
１７      Ｄ／Ａ変換部
１８      直交変換部
１９      ＲＦ部
２０      信号送信部
【図１】
2008236154.tif 000003
【図２】
2008236154.tif 000004
【図３】
2008236154.tif 000005
【図４】
2008236154.tif 000006
【図５】
2008236154.tif 000007